(57)【要約】  【課題】簡単な構造であり、電池パックの挿入／取り外しがワンタッチででき、かつ振動や転倒などによって充電中の電池パックが脱落しないようにする。  【解決手段】電池パック１１を電極１２側から充電器１の収納部３へ挿入し、指押開口部４から指で押して充電端子６のバネ圧に抗しながら電池パック１１を奥へ送り込む。これにより、電池パック１１の凹部１３が形成された端面が、凸部５に当たらないように収納部３へ収納する。この後、指を離すと、電池パック１１が充電端子６のバネ圧力によって押し戻され、凸部５が凹部１３に嵌合する。このとき、充電端子６のバネ圧力によって凸部５と凹部１３の嵌合力は強固となる。【選択図】  図１
2007048673.tif 000002
【特許請求の範囲】
【請求項１】
電池パックが装着される収納部を備えると共に、該収納部の一側内面に、前記電池パックを押圧付勢する付勢手段が設けられた充電器であって、前記収納部の他側内面に凸部又は凹部が形成され、該凸部又は凹部には、前記電池パックの端面に設けられた凹部又は凸部が着脱自在に嵌合するように構成したことを特徴とする電池パック用充電器。
【請求項２】
上記電池パック側の凹部又は凸部、並びに、これに対応する上記収納部側の凸部又は凹部が共に複数個設けられていることを特徴とする請求項１記載の電池パック用充電器。
【請求項３】
電池パックが装着される収納部を備えると共に、該収納部の一側内面に、前記電池パックを押圧付勢する付勢手段が設けられた充電器であって、前記収納部の他側内面に、前記電池パックの移動を規制するリブが設けられていることを特徴とする電池パック用充電器。
【請求項４】
上記リブは、上記電池パックの端面の上部両側の隅角部に当接するように少なくとも２個配設されていることを特徴とする請求項３記載の電池パック用充電器。
【請求項５】
電池パックが装着される収納部を備えると共に、該収納部の一側内面に、電池パックを押圧付勢する付勢手段が設けられた充電器であって、前記収納部の他側内面に切欠爪が形成され、該切欠爪には、前記電池パックの端面に設けられた切欠口が着脱自在に嵌合し、かつ、該切欠爪の両側には、前記電池パックの上方向移動を規制するリブが設けられていることを特徴とする電池パック用充電器。
【請求項６】
上記付勢手段が、上記電池パックを充電するための充電端子であることを特徴とする請求項１、２，３、４又は５記載の電池パック用充電器。
【発明の詳細な説明】
【技術分野】
【０００１】
本発明は、携帯電話機やデジタルカメラなどの電池パックを単体で充電する電池パック用充電器に関するものであり、特に、充電中の電池パックの脱落防止機能を備えた電池パック用充電器に関するものである。
【背景技術】
【０００２】
従来、携帯電話機やデジタルカメラなどの充電は、一般的には電池パックが装着された状態のまま行われている。ところが、携帯電話機やデジタルカメラなどの長時間使用に備えて予備の電池パックを携行する場合がある。そのような場合は、電池パック用充電器も同時に携行されることが多い。
【０００３】
この場合、携帯電話機やデジタルカメラなどに装着された電池パックが消耗すれは、予備の電池パックに交換した後に取り外した電池パックを単体で充電器に装着して充電を行っている。携帯電話機やデジタルカメラなどから電池パックを取り外して電池パック単体で充電を行うように構成された充電器は、例えば、下記の特許文献１の図４などにおいて開示されている。
【０００４】
ところが、特許文献１などに開示された充電器は、電池パックを充電器に装着して充電端子のバネ押圧による付勢力だけで電池パックを固定する構造になっているため、ユーザが電池パックの装着された充電器を携行しているとき、振動や充電器の転倒などによって、電池パックが充電器から脱落したり、あるいは、充電端子が非接触状態になったりするおそれがある。このような場合、所定の経過時間後に充電が完了しているものと錯覚し、充電器から電池パックを取り出して、携帯電話機やデジタルカメラなどに装着したときに、初めて充電が不充分であることに気付くなどの不具合が発生する。
【０００５】
そこで、このような無意識のうちに発生する充電器からの電池パックの脱落を防止するために、充電器の振動や転倒などによって電池パックが充電器から外れないように構成した、充電器における電池パック固定装置の技術が、例えば、特許文献２に開示されている。
【０００６】
この技術によれば、充電器側に、電池パックを固定するための押さえリブやロックカバーなどを設けて、電池パックの脱落防止を行っている。これにより、電池パックを充電中の充電器を鞄などに入れて持ち歩いても、電池パックの充電端子が接触不良になるおそれはないので、充電器に装着された予備の電池パックは、所定の時間後には確実に充電が完了している。
【特許文献１】特開平８−７９３２号公報
【特許文献２】特開平８−３１５７９４号公報
【発明の開示】
【発明が解決しようとする課題】
【０００７】
しかしながら、特許文献２に開示された電池パック用充電器においては、電池パックが充電器から脱落しないようにするために、充電器に複数のリブやロックカバーなどを設けなければならないので、充電器の構造が複雑になってしまう。そのため、充電器への電池パックの挿入／取り外しをワンタッチで行うことができないなど、充電器の取扱い上の使い勝手が悪いものになってしまう。さらに、電池パックの挿入／取り外し手順が複雑になるため、電池パックを充電器に挿入したり取り外したりするときに、リブやロックカバーなどに無理な力が加わって、充電器を破損させてしまうおそれもある。
【０００８】
そこで、簡単な構造の電池パック用充電器であって、電池パックの挿入／取り外しがワンタッチででき、かつ振動や転倒などによって充電中の電池パックが脱落しないようにするために解決すべき技術的課題が生じてくるのであり、本発明はその課題を解決することを目的とするものである。
【課題を解決するための手段】
【０００９】
本発明は上記目的を達成するために提案されたものであり、請求項１記載の発明は、電池パックが装着される収納部を備えると共に、該収納部の一側内面に、前記電池パックを押圧付勢する付勢手段が設けられた充電器であって、前記収納部の他側内面に凸部又は凹部が形成され、該凸部又は凹部には、電池パックの端面に設けられた凹部又は凸部が着脱自在に嵌合するように構成した電池パック用充電器を提供する。
【００１０】
この構成によれば、電池パックの一側面に凹部又は凸部を形成し、かつ、充電器の充電用収納部に、電池パックの凹部又は凸部に嵌合する凸部又は凹部を形成している。この収納部の凸部又は凹部と、電池パックの凹部又は凸部とは、付勢手段の押圧力により、強固に凹凸嵌合されている。
【００１１】
したがって、電池パックの充電中に、充電器を振動させたり転倒させたりしても、電池パックが充電器の収納部から脱落するおそれはない。たとえば、電池パックを充電しながら充電器を携行しても、所定の時間後には電池パックの充電は確実に完了する。
【００１２】
又、請求項２記載の発明は、上記電池パック側の凹部又は凸部、並びに、これに対応する上記収納部側の凸部又は凹部が共に複数個設けられている電池パック用充電器を提供する。
【００１３】
この構成によれば、電池パックに複数個の凹部又は凸部を設け、かつ充電器の収納部にも、電池パックの複数個の凹部又は凸部に対応して、複数個の凸部又は凹部を設けている。これによって、電池パックの複数個の凹部又は凸部が、充電器側収納部の複数個の凸部又は凹部と着脱自在に嵌合される。よって、電池パックは、充電器の収納部により安定的に収納される。
【００１４】
請求項３記載の発明は、電池パックが装着される収納部を備えると共に、該収納部の一側内面に、前記電池パックを押圧付勢する付勢手段が設けられた充電器であって、前記収納部の他側内面に、前記電池パックの移動を規制するリブが設けられた電池パック用充電器を提供する。
【００１５】
この構成によれば、充電器の収納部には、電池パックの移動を規制するリブが設けられているので、電池パックに凹部又は凸部を加工しなくても、電池パックは充電器の収納部に安定的に収納される。したがって、電池パックの充電中に、充電器を振動させたり、あるいは転倒させたとしても、電池パックが充電器の収納部から脱落するおそれはない。
【００１６】
請求項４記載の発明では、上記リブは、上記電池パックの端面の上部両側の隅角部に当接するように少なくとも２個配設されている電池パック用充電器を提供する。
【００１７】
この構成によれば、充電器の収納部には、電池パックの端面の上部両側の隅角部に当接するように複数コのリブ、例えば、かぎ形又はＬ形などの適宜形状を有する位置規制用リブが配設されている。したがって、電池パックに凹部又は凸部を加工形成しなくても、電池パックは、リブによって移動が規制され、充電器の収納部に安定的に収納される。
【００１８】
また、請求項５記載の発明は、電池パックが装着される収納部を備えると共に、該収納部の一側内面に、電池パックを押圧付勢する付勢手段が設けられた充電器であって、前記収納部の他側内面に切欠爪が形成され、該切欠爪は、前記電池パックの端面に設けられた切欠口に着脱自在に嵌合し、かつ、該切欠爪の両側には、前記電池パックの上方向移動を規制するリブが設けられている電池パック用充電器を提供する。
【００１９】
この構成によれば、電池パックの端面に切欠口を設け、かつ、充電器の収納部に、切欠口に嵌合する切欠爪を設けると共に、切欠爪の両サイドにリブ、例えば平板状のリブを設けている。これにより、電池パックの横方向（左右方向）の移動は、切欠口と切欠爪の嵌合によって規制され、かつ、電池パックの上方向の移動は、平板のリブによって規制される。したがって、電池パックの充電中に、充電器を振動させたり転倒させたりしても、電池パックが充電器の収納部から脱落するおそれはない。
【００２０】
請求項６記載の発明では、上記付勢手段は、上記電池パックを充電するための充電端子として形成されている電池パック用充電器を提供する。
【００２１】
この構成によれば、充電器の収納部に形成された充電端子は、板バネなどの弾発的な付勢手段によって構成される。この構成では、電池パックの電極は、充電端子のバネ圧力によって強固かつ安定的にコンタクトされる。しかも、収納部の凸部は、バネ圧力によって電池パックの凹部に強固に嵌合される。
【発明の効果】
【００２２】
請求項１記載の発明によれば、電池パック用充電器の収納部に形成された凸部が電池パックの凹部に嵌合し、かつ、収納部の一側内面に設けられた付勢手段の押圧によって、凸部と凹部の嵌合力を強固にしている。これによって、電池パックを充電中の充電器を傾けたり振動させたりしても、電池パックが充電器の収納部から脱落するおそれはない。したがって、携帯用に適した電池パック用充電器を提供することができる。
【００２３】
請求項２記載の発明によれば、電池パックの複数個の凹部又は凸部が、充電器の収納部に設けられた複数個の凸部又は凹部と嵌合されているので、請求項１記載の発明の効果に加えて、充電中に、充電器を如何なる方向から振動させたり衝撃を加えたりしても、電池パックは収納部から脱落するおそれはなくなる。したがって、電池パックは安定的に充電器の収納部に収納されて確実に充電が行われる。
【００２４】
請求項３記載の発明によれば、充電器の収納部に電池パックの脱落防止用のリブが設けられているので、電池パックに凹部又は凸部を設けなくても、電池パックは充電器の収納部に安定的に収納される。したがって、電池パックを収納部に装着して充電を行っている充電器を振動させたり転倒させたりしても、電池パックが充電器の収納部から脱落するおそれはない。
【００２５】
請求項４記載の発明によれば、電池パックの脱落防止用のリブは、電池パックの隅角部に係合するような屈折形状のリブによって実現することができるので、請求項３記載の発明の効果に加えて、電池パックに凹部又は凸部の加工を施さなくても、容易に電池パックの脱落防止を行うことができる。
【００２６】
請求項５記載の発明によれば、電池パックに設けた切欠口と、充電器の収納部に設けた切欠爪の嵌合によって電池パックの横方向（左右方向）の移動を規制し、切欠爪の両サイドに設けた平板のリブによって電池パックの上方向の移動を規制している。したがって、電池パックの充電時、充電器を振動させたり転倒させたりしても、電池パックが、充電器の収納部から脱落するおそれはない。
【００２７】
請求項６記載の発明によれば、充電器の充電端子は板バネなどの付勢手段によって構成されているので、前記各発明の効果に加えて、電池パックの電極と充電端子とのコンタクトの信頼性をさらに高めることができると共に、電池パックの凹部と収納部の凸部との嵌合力をより強固にすることができる。
【００２８】
収納部に収納された電池パックは、リブと充電端子のバネ圧力とによってより安定的に移動が規制される。これによって、電池パックを充電中の充電器を振動させたり転倒させたりしても、電池パックが充電器の収納部から脱落することは殆んどなくなり、安定的に充電が行われる。
【発明を実施するための最良の形態】
【００２９】
本発明による電池パック用充電器の最良の形態は、電池パックの所定の位置に凹部を形成し、その電池パックを充電器の収納部に装着したときに電池パックの凹部に嵌合するように、充電器の収納部に凸部を形成する。これにより、電池パックを充電器の収納部に装着するときは、充電器に設置された充電端子のバネ圧力に抗して、充電器の凸部を逃げるように電池パックをスライドさせながら電池パックを充電器の収納部に収納する。
【００３０】
このようにして収納された電池パックの凹部に対して充電器の凸部が嵌合し、充電端子のバネ圧力によって、充電器の凸部と電池パックの凹部との嵌合押圧を一定レベル以上に保持する。これによって、電池パックを充電器の収納部に装着した状態で振動や転倒などが生じても、電池パックが充電器から外れたり、充電端子が非接触状態になったりするおそれはなくなる。
【００３１】
なお、電池パックに設ける凹部や充電器に設ける凸部はそれぞれ１個ずつでも良いし、電池パックの凹部及び充電器の凸部をそれぞれ複数個づつ対応させて設けてもよい。また、前述の凹部・凸部の組合せを逆にして、電池パックに凸部を設けて充電器の対応する位置に凹部を設けてもよい。さらには、電池パックには凹部又は凸部のような加工を施さないで、つまり、通常の電池パックの状態で、充電器における収納部の上面の１箇所又は複数箇所に、電池パックの移動を規制するようにリブを配置してもよい。これによって、充電器に装着された電池パックは、１箇所又は数箇所のリブによって安定的に固定されるので、充電器の振動や転倒などによって電池パックが脱落するおそれはなくなる。
【００３２】
以下、図面を参照しながら、本発明による電池パック用充電器の具体的な実施例の幾つかについて、携帯電話機の電池パックを単体で充電する充電器を例に挙げて、詳細に説明する。なお、以下に述べる各実施例で用いる図面において、同一の構成要素は同一の符号を付し、かつ重複する説明は可能な限り省略する。
【実施例１】
【００３３】
図１は、本発明の実施例１に適用される電池パック用充電器及び電池パックの外観斜視図であり、（ａ）は電池パック用充電器、（ｂ）は電池パックを示す。まず、電池パック用充電器及び電池パックの構造について説明する。図１（ａ）において、電池パック用充電器１は、内部に充電回路が実装された充電回路実装部２と図１（ｂ）の電池パック１１を収納する収納部３とを備えた構成となっている。
【００３４】
なお、充電回路実装部２の裏面側には、ＡＣ１００Ｖのコンセントに挿入するためのプラグが敷設されているが、図１（ａ）では図示されていない。また、図１（ｂ）において、電池パック１１は、例えば扁平形のリチウム電池などであって、一方の端面にプラスとマイナスの電極１２を備えている。さらに、電極１２の反対側の端面のほぼ中央部付近には、例えば、断面が四角形の凹部１３が形成されている。
【００３５】
再び、図１（ａ）の充電器１に戻って、図１（ｂ）のような形状の電池パック１１を収納する収納部３の電池挿入側の端面（図の右上側の端面）には、電池パック１１を挿入するため指押開口部４が設けられている。また、収納部３の電池挿入側の端面（図の右上側の端面）の中央部付近には、電池パック１１を収納部３へ収納したときに電池パック１１の凹部１３に嵌合する位置に凸部５が形成されている。さらに、収納部３の奥側の端面（図の左下側の端面）であって、電池パック１１を収納部３へ収納したときに電池パック１１の電極１２に接触する位置にプラスとマイナスの充電端子６が設けられている。
【００３６】
これらの充電端子６は、電池パック１１を収納部３へ収納したときに、電池パック１１の電極１２へのコンタクトをより強固にすべくバネ接点になっている。すなわち、充電端子６は板バネなどの付勢手段によって構成されている。
【００３７】
なお、図１（ａ）では、充電端子６は２個となっているが、さらに多くの個数の充電端子でプラスとマイナスの端子を構成すれば、電極へのコンタクトの信頼性をさらに高めることができる。もちろん、その場合は、電池パック１１にも充電端子の個数に対応する個数の電極が設けられていることが必要である。
【００３８】
次に、このように構成された充電器１へ電池パック１１を挿入する場合について説明する。電池パック１１をその電極１２側から充電器１の収納部３へ挿入し、指押開口部４から指で押して、充電端子６のバネ圧に抗しながら電池パック１１を奥側へ送り込む。これによって、凹部１３を有する電池パック１１の端面が、収納部３の凸部５に当たらないようにして、電池パック１１を充電器１の収納部３へ収納する。
【００３９】
電池パック１１を充電器１へ正常に収納した状態で指を離すと、電池パック１１が充電端子６のバネ圧力に付勢されて、充電器１の電池挿入側の端面（図の右上側の端面）へ押し戻され、充電器１の凸部５が、電池パック１１の凹部１３に着脱自在に嵌合する。このとき、充電端子６のバネ圧力によって、凸部５と凹部１３の嵌合力は強固になっているので、充電器１の振動や転倒などによって、電池パック１１が充電器１から脱落したり、充電端子６と電極１２が接触不良となるおそれはなくなる。
【００４０】
なお、上記の実施例では充電端子６を付勢手段として用いたが、充電端子６とは別に、ゴムなどの弾性部材を付勢手段として、収納部３の充電端子６のある側の端面に敷設してもよい。これによって、電池パック用充電器１の凸部５と電池パック１１の凹部１３の嵌合押圧を、より強固にすることができる。
【００４１】
但し、充電端子６は、電極１２とのコンタクト圧力を一定レベル以上に保持するために、ある程度のバネ圧力を持たせる必要がある。また、上記の実施例では、充電器１の凸部５及び電池パック１１の凹部１３の断面形状を四角形としたが、凸部５が凹部１３にスムーズに挿入できるように、凸部５及び凹部１３の挿入部分の隅角部にアールを設けることが望ましい。
【００４２】
また、収納部３に設けられた凸部５、及び、電池パック１１に設けられた凹部１３の断面形状は、四角形に限定されるものではなく、凸部５と凹部１３を嵌合させるという目的を呈する形状であれば、円形や楕円形などどのような形状であっても構わない。さらに、上記の実施例では、充電器１に凸部５を設け、電池パック１１に凹部１３を設ける構成としたが、凸部と凹部の構成を逆にして、充電器１に凹部を設け、電池パック１１に凸部を設けてもよい。
【００４３】
図２は、本発明の電池パック用充電器の具体的な構成図であり、（ａ）は正面図、（ｂ）は左側面図、（ｃ）は右側面図、（ｄ）は上側面図、（ｅ）は裏面図である。図２（ａ）の正面図に示すように、電池パック用充電器１の上蓋２１の一部が開口されていて、その開口部が図示しない電池パックを収納するための収納部３となっている。この収納部３の電池パック挿入側（図２（ａ）の右側）には、電池パックの凹部に嵌合するための凸部５が形成されている。また、上蓋２１には、充電状態を表示するためのＬＥＤなどの表示灯２２が設けられている。
【００４４】
さらに、図２（ｃ）に示すように、収納部３の奥には、板バネで形成された充電端子６が配置されていて、図示しない電池パックを収納部３へ収納すると、その電池パックの電極が充電端子６にバネ圧力で接触するようになっている。また、図２（ｃ）に示すように、上蓋２１の収納部３側の入口端部には指押開口部４が設けられていて、この指押開口部４に指を添えて電池パックを収納部３に挿入することにより、電池パックを収納部３へ容易に収納できるようになっている。
【００４５】
すなわち、指押開口部４に指を添えて、電池パックを収納部３に挿入するとき、収納部３の奥に配置された充電端子６の板バネに抗して、電池パックを収納部３の奥に送り込めば、電池パックの端部が、収納部３に形成された凸部５に当たることなく、電池パックを収納部３の底部に沈めることができる。このようにして、電池パックを収納部３に正常に収納した後に、指押開口部４から指を離せば、電池パックの凹部と収納部３の凸部５が嵌合して、充電端子６のバネ圧の付勢によって嵌合力を強固にする。
【００４６】
また、図２（ｂ）〜（ｅ）に示すように、底蓋２３にはプラグ２４が敷設されている。なお、プラグ２４は、図２（ｅ）に示すように、充電器１の携帯用の利便性を考慮して、底蓋２３に沿って折り畳めるようになっている。さらに、図２（ｅ）に示すように、充電回路実装部２には充電回路が実装されている。なお、充電回路を覆うための充電回路実装部２は、特殊ネジ２５によって固定されているので、通常は充電回路が開放されることはない。
【００４７】
図２に示すように、充電器１はハンディタイプに構成されていて、しかも、電池パックを充電したまま充電器１を持ち歩いても、振動や衝撃などによって、電池パックが充電器１の収納部３から脱落するおそれはない。したがって、このような充電器１は、携帯電話機などと一緒に持ち歩く携帯型の充電器として有効に利用することができる。
【実施例２】
【００４８】
図３は、本発明の実施例２に適用される電池パック用充電器及び電池パックの外観斜視図であり、（ａ）は電池パック用充電器、（ｂ）は電池パックを示す。実施例２が実施例１と異なるところは、電池パック用充電器１ａにおける収納部３ａの凸部及び電池パック１１ａの凹部をそれぞれ複数個設けた点である。
【００４９】
すなわち、実施例２では、図２（ｂ）に示すように、電池パック１１ａにおける電極１２の反対側の端面に２個の凹部１３ａ，１３ｂが形成され、かつ、図３（ａ）に示すように、充電器１ａの収納部３ａにおける電池パック１１ａの凹部１３ａ，１３ｂに対応する端面には、２個の凸部５ａ，５ｂが形成されている。もちろん、凸部や凹部は２個に限定されるものではなく、さらに多くの個数であってもよい。
【００５０】
なお、凸部と凹部の構成を逆にして、充電器１ａに複数の凹部を設けて電池パック１１ａに複数の凸部を設けてもよい。このようにして、充電器１ａ及び電池パック１１ａに複数個の凸部及び凹部を設けることにより、電池パック１１ａを充電器１ａの収納部３ａに対してより安定的に収納することができる。
【実施例３】
【００５１】
図４は、本発明の実施例３に適用される電池パック用充電器及び電池パックの外観斜視図であり、（ａ）は電池パック用充電器、（ｂ）は電池パックを示す。実施例３による電池パック用充電器１ｂは、収納部３ｂにかぎ型リブ７ａ，７ｂを設けた構成となっている。すなわち、かぎ型リブ７ａ，７ｂは、収納部３ｂに収納された電池パック１１ｂの隅角部を囲うように収納部３ｂの端面に取り付けられている。これによって収納部３ｂには凸部又は凹部を設ける必要はなくなる。その他の構成は、図１の実施例１及び図３の実施例２の場合と全く同じである。
【００５２】
すなわち、図４（ｂ）の電池パック１１ｂを同図（ａ）の充電器１ｂに収納したとき、電池パック１１ｂの横方向と縦方向の移動を規制するように、例えば、収納部３ｂの入口側にかぎ型リブ７ａ，７ｂを設ける。このようにすることにより、図４（ｂ）に示すように、凹部又は凸部を設けない通常の電池パック１１ｂを収納部３ｂに収納しても、充電器１ｂの振動や転倒によって、電池パック１１ｂが脱落するおそれはなくなる。
【実施例４】
【００５３】
図５は、本発明の実施例４に適用される電池パック用充電器及び電池パックの外観斜視図であり、（ａ）は電池パック用充電器、（ｂ）は電池パックを示す。第５の実施例では、図５（ｂ）に示すように電池パック１１ｃに切欠口１４を設ける。一方、電池パック用充電器１ｃにおいては、図５（ａ）に示すように、収納部３ｃの電池挿入側の端面部分（図の右上側の端面部分）において、電池パック１１ｃの切欠口１４に対応する切欠爪８を設けると共に、収納部３ｃの両サイドに平板リブ９ａ、９ｂを設ける。
【００５４】
このような構成によって、電池パック１１ｃを収納部３ｃに収納すると、電池パック１１ｃの切欠口１４に対して収納部３ｃの切欠爪８が着脱自在に嵌合されて、電池パック１１ｃの横方向（左右方向）の移動が規制され、かつ、収納部３ｃの両サイドの平板リブ９ａ、９ｂによって電池パック１１ｃの縦方向（上方向）の移動が規制される。したがって、充電器１ｃの振動や転倒によって電池パック１１ｃが脱落するおそれはなくなる。
【図面の簡単な説明】
【００５５】
【図１】本発明の実施例１に適用される電池パック用充電器及び電池パックを示し、（ａ）は電池パック用充電器の外観斜視図、（ｂ）は電池パックの外観斜視図。
【図２】本発明の電池パック用充電器の具体的な構成図であり、（ａ）は正面図、（ｂ）は左側面図、（ｃ）は右側面図、（ｄ）は上側面図、（ｅ）は裏面図。
【図３】本発明の実施例２に適用される電池パック用充電器及び電池パックを示し、（ａ）は電池パック用充電器の外観斜視図、（ｂ）は電池パックの外観斜視図。
【図４】本発明の実施例３に適用される電池パック用充電器及び電池パックを示し、（ａ）は電池パック用充電器の外観斜視図、（ｂ）は電池パックの外観斜視図。
【図５】本発明の実施例４に適用される電池パック用充電器及び電池パックを示し、（ａ）は電池パック用充電器の外観斜視図、（ｂ）は電池パックの外観斜視図。
【符号の説明】
【００５６】
１〜１ｃ    電池パック用充電器
２          充電回路実装部
３〜３ｃ    収納部
４          指押開口部
５〜５ｂ    凸部
６          充電端子
７ａ，７ｂ  かぎ形リブ
８          切欠爪
９ａ，９ｂ  平板リブ
１１〜１１ｃ電池パック
１２        電極
１３〜１３ｂ凹部
１４        切欠口
２１        上蓋
２２        表示灯
２３        底蓋
２４        プラグ
２５        特殊ネジ
【図１】
2007048673.tif 000003
【図２】
2007048673.tif 000004
【図３】
2007048673.tif 000005
【図４】
2007048673.tif 000006
【図５】
2007048673.tif 000007
【手続補正書】
【提出日】平成17年8月16日(2005.8.16)
【手続補正１】
【補正対象書類名】図面
【補正対象項目名】図２
【補正方法】変更
【補正の内容】
【図２】
2007048673.tif 000008
【手続補正２】
【補正対象書類名】図面
【補正対象項目名】図３
【補正方法】変更
【補正の内容】
【図３】
2007048673.tif 000009